(57)【要約】【課題】悪意の者による物理的なクラッキングを受けた際に、装置の電力のＯＮ／ＯＦＦを問わず、磁気記憶媒体１２のデータを消去する。又、長時間を要さずに、磁気記憶媒体１２の全データの消去を行い、使用者の利便性を高める。【解決手段】磁気記憶装置は、磁気記憶媒体１２と、装置を駆動させるため、外部から電力供給を受けるための電力供給口１５と、磁気記憶媒体１２の全面に対し磁界をかけるためのコイル１６を有し、コイル１６によって磁気記憶媒体１２の記憶するデータの消去を行う磁界発生回路１７等のデータ消去部と、電力供給口１５から電力供給をうけて充電し、外部からの電力供給がない場合、データ消去部を駆動させる電力を供給する蓄電池１８等の蓄電部と、装置の筐体開封、及び／又は、設置場所から移動されたことを検出して、データ消去部を起動させる起動部１９と、を備える。【選択図】図５
2010049753.tif 000002
【特許請求の範囲】
【請求項１】
磁気記憶媒体と、
装置を駆動させるため、外部から電力供給を受けるための電力供給口と、
前記磁気記憶媒体の全面に対し磁界をかけるためのコイルを有し、前記コイルによって前記磁気記憶媒体の記憶するデータの消去を行うデータ消去部と、
前記電力供給口から電力供給をうけて充電し、外部からの電力供給がない場合、前記データ消去部を駆動させる電力を供給する蓄電部と、
装置の筐体開封、及び／又は、設置場所から移動されたことを検出して、前記データ消去部を起動させる起動部と、を備えることを特徴とする磁気記憶装置。
【請求項２】
前記蓄電部は、蓄電池であり、
前記データ消去部は、前記電力供給口又は前記蓄電池から電力供給を受け、コイルに電流を流して磁界を発生させる磁界発生回路を有し、
前記データ消去部を起動させる場合、
前記起動部は、前記磁界発生回路に起動信号を送信し、前記磁界発生回路は、この起動信号の入力を受けて、磁界を発生させることを特徴とする請求項１記載の磁気記憶装置。
【請求項３】
装置内部には前記筐体が開封された場合、断線が生ずるように導線が張り巡らされ、
前記起動部は、前記電力供給口又は前記蓄電池から電力の供給を受けて導線の断線を検出する断線検出体を有し、
前記断線検出体が断線を検出した場合、前記起動部は、前記磁界発生回路に起動信号を送信することを特徴とする請求項２記載の磁気記憶装置。
【請求項４】
装置外部に掛け回される導線が装置に接続され、
前記断線検出体が装置外部に掛け回される導線の断線を検出した場合、前記起動部は前記磁界発生回路に起動信号を送信することを特徴とする請求項３に記載の磁気記憶装置。
【請求項５】
前記起動部は、前記電力供給口及び前記蓄電池と、前記磁界発生回路間に設けられる１又は複数の磁界発生回路起動用スイッチであって、
一端が前記磁界発生回路起動用スイッチに接続され、他端が装置の筺体又は装置外部に接続され、前記磁界発生回路起動用スイッチを開状態で維持する１又は複数の第１の開状態維持部材を有し、
前記筐体が開封された場合、及び／又は、装置が設置位置から移動された場合、前記磁界発生回路起動用スイッチは閉状態となり、前記磁界発生回路が駆動を開始することを特徴とする請求項２乃至４のいずれか１項に記載の磁気記憶装置。
【請求項６】
前記蓄電部はコンデンサであって、前記コンデンサと前記コイルを直列接続した閉回路を形成し、
前記コンデンサは、装置の電力供給口から電力の供給を受けて充電し、
前記起動部が前記データ消去部を起動させる場合、
前記起動部は、前記コンデンサと前記コイルからなる閉回路を導通させることを特徴とする請求項１記載の磁気記憶装置。
【請求項７】
前記起動部は、前記電力供給口又は前記コンデンサと、前記コイル間に設けられた１又は複数の閉回路起動用スイッチであって、
一端が前記閉回路起動用スイッチに接続され、他端が装置の筺体又は装置外部に接続され、前記閉回路起動用スイッチを開状態で維持する１又は複数の第２の開状態維持部材を有し、
前記筐体が開封された場合、及び／又は、装置が設置位置から移動された場合、前記閉回路起動用スイッチは閉状態となり、前記閉回路が駆動を開始することを特徴とする請求項６記載の磁気記憶装置。
【請求項８】
請求項１乃至７のいずれか１項に記載の磁気記憶装置を装着することを特徴とする画像形成装置。
【請求項９】
請求項５記載の磁気記憶装置を備え、
前記第１の開状態維持部材の他端は、前記画像形成装置の筐体又は内部に接続され、
前記画像形成装置の筐体が開封された場合、又は、前記磁気記憶装置が設置位置から移動された場合、前記磁界発生回路起動用スイッチは閉状態となり、前記磁界発生回路が駆動を開始することを特徴とする画像形成装置。
【請求項１０】
請求項７記載の磁気記憶装置を備え、
前記第２の開状態維持部材の他端は、前記画像形成装置の筐体又は内部に接続され、
前記起動部は、前記画像形成装置の筐体が開封された、又は、前記磁気記憶装置が設置位置から移動された場合、前記閉回路起動用スイッチは閉状態となり、前記閉回路が駆動を開始することを特徴とする画像形成装置。
【請求項１１】
請求項１乃至８のいずれか１項に記載の磁気記憶装置を装着することを特徴とする情報処理装置。
【請求項１２】
請求項５記載の磁気記憶装置を備え、
前記第１の開状態維持部材の他端は、前記情報処理装置の筐体又は内部に接続され、
前記情報処理装置の筐体が開封された場合、又は、前記磁気記憶装置が設置位置から移動された場合、前記磁界発生回路起動用スイッチは閉状態となり、前記磁界発生回路が駆動を開始することを特徴とする情報処理装置。
【請求項１３】
請求項７記載の磁気記憶装置を備え、
前記第２の開状態維持部材の他端は、前記情報処理装置の筐体又は内部に接続され、
前記起動部は、前記情報処理装置の筐体が開封された、又は、前記磁気記憶装置が設置位置から移動された場合、閉回路が起動を開始することを特徴とする情報処理装置。
【発明の詳細な説明】
【技術分野】
【０００１】
本発明は，磁気記憶媒体により、各種データを記憶する磁気記憶装置に関する。又、この磁気記憶装置を備えた、複写機、複合機、プリンタ等の画像形成装置に関する。又、この磁気記憶装置を備えたパーソナルコンピュータ等の情報処理装置に関する。
【背景技術】
【０００２】
従来、ＨＤＤ（Hard disk drive）やフロッピー（登録商標）ディスクのように、磁性体を塗布した記憶媒体を有し、この磁気記憶媒体にデータを記憶する各種の磁気記憶装置が存在する。そして、特に、ＨＤＤは記憶容量が大きく、又、容量あたりの価格が安い等の利点から、一般に、画像データの記憶用に画像形成装置や、ＯＳや各種アプリケーションソフト等の記憶用にパーソナルコンピュータ等の情報処理装置に装備される。
【０００３】
そして、画像形成装置等の磁気記憶装置には、例えば、住所、氏名、電話番号、ＦＡＸ番号、メールアドレス等の個人情報に関するデータが記憶される場合がある。又、企業や官公庁における会計・計画・実績に関する書類等、様々な機密データが磁気記憶装置に記憶され得る。従って磁気記憶装置廃棄時のデータ消去や、磁気記憶装置の盗難等のクラッキングに対するセキュリティ対策が必要となる。
【０００４】
そこで、記憶装置内の機密情報の漏洩防止に関し、特許文献１記載の発明が提案されている。具体的には、特許文献１には、画像データを格納する記録装置と、記録装置を本体に対して固定および固定解除する固定手段（取り付け鍵）と、記録装置に対して画像データが格納されるとき、固定手段に、記録装置を本体に対して固定させる第１の制御手段と、記録装置を本体から取り外す必要が生じた場合、記録装置に格納された画像データを消去する消去手段と、消去手段によって前記記録装置に格納された画像データが全て消去されたとき、固定手段に、記録装置を本体から固定解除させる第２の制御手段とを有する画像形成装置が記載されている。この構成により、記録装置内に格納された機密情報の漏洩を防止しようとする（特許文献１：請求項１、段落［００１１］等参照）。
【特許文献１】特開２００６−１５５５２７
【発明の開示】
【発明が解決しようとする課題】
【０００５】
特許文献１記載の発明によれば、確かに、記憶装置が取り外される場合、記憶装置に格納された情報は消去された状態となる。しかし、このような制御は、装置の電源ＯＮ時のみでしか実行できず、磁気記憶装置を物理的にクラッキングすれば、データが消去されることなく磁気記憶装置を持ち去ることが可能である。そして、磁気記憶装置が持ち去られれば、パスワード等でロックしていても、悪意の者に解析のための時間を与え、又、磁気記憶装置から磁気記憶媒体を取り出し、直接磁気記憶媒体の解析を行うことも不可能ではない。従って、特許文献１記載の発明は、悪意の者による磁気記憶装置の物理的なクラッキングに対して、対抗できないという問題がある。
【０００６】
又、一般に、特許文献１にも記載されるように、磁気記憶装置のデータ消去では、磁気記憶媒体へのランダムなデータ書き込みや、「０」又は「１」の固定値を磁気記憶媒体に書き込み等によりデータ消去が行われる（特許文献１：段落［００３８］参照）。しかし、このようなデータ消去処理を行っても、磁気記憶媒体の磁性体は、ヒステリシス特性を有し、磁気記憶媒体の磁化状況を直接解析して、データ復元が可能な場合がある。更に、特許文献１に記載されるようなデータの完全消去には、記憶容量が大きいほど長い時間がかかる。通常、ＨＤＤは、ギガバイト、テラバイトといった大容量であり、１ビットずつのデータの完全消去には時間がかかる。従って、使用者が自発的にデータ消去を行う場合、使用者の待ち時間は長時間に及び、利便性が悪いという問題がある。
【０００７】
本発明は、上記従来技術の問題点に鑑みてなされたものであり、悪意の者による物理的なクラッキングを受けた際に、装置の電力のＯＮ／ＯＦＦを問わず、磁気記憶媒体のデータを消去することを課題とする。又、長時間を要さずに、磁気記憶媒体の全データの消去を行い、使用者の利便性を高めることを目的とする。
【課題を解決するための手段】
【０００８】
上記課題を解決するため請求項１に係る磁気記憶装置は、磁気記憶媒体と、装置を駆動させるため、外部から電力供給を受けるための電力供給口と、前記磁気記憶媒体の全面に対し磁界をかけるためのコイルを有し、前記コイルによって前記磁気記憶媒体の記憶するデータの消去を行うデータ消去部と、前記電力供給口から電力供給をうけて充電し、外部からの電力供給がない場合、前記データ消去部を駆動させる電力を供給する蓄電部と、装置の筐体開封、及び／又は、設置場所から移動されたことを検出して、前記データ消去部を起動させる起動部と、を備えることとした。
【０００９】
この構成によれば、装置の筐体開封や設置場所から移動されたことを検出し、データ消去部を起動させる起動部を備えるので、データ解析のための磁気記憶装置の開封や、設置場所から磁気記憶装置の持ち出しにより磁気記憶装置が移動された場合、直ちに磁気記憶装置の記憶するデータが消去されるので、機密情報の漏洩を防ぐことができる。そして、このデータ消去は、磁気記憶装置の電源が投入されているか否かを問わずに実行される。又、磁気記憶媒体の全面に磁界をかけるので、データ消去に時間は要しない。又、使用者が自発的に磁気記憶装置の記憶内容を消去したい場合、装置の筐体を開封するか、設置場所から取り外せばよく、迅速、容易に、データ消去処理を実行することができる。
【００１０】
又、請求項２に係る発明は、請求項１記載の発明において、前記蓄電部は、蓄電池であり、前記データ消去部は、前記電力供給口又は前記蓄電池から電力供給を受け、コイルに電流を流して磁界を発生させる磁界発生回路を有し、前記データ消去部を起動させる場合、前記起動部は、前記磁界発生回路に起動信号を送信し、前記磁界発生回路は、この起動信号の入力を受けて、磁界を発生させることとした。この構成によれば、蓄電部は蓄電池であり、蓄電池から電力供給を受ける磁界発生回路が、データを消去するための磁界を発生させるので、磁気記憶装置に外部から電力が供給されていなくても、データの消去を行うことができる。
【００１１】
又、請求項３に係る発明は、請求項２記載の発明において、装置内部には前記筐体が開封された場合、断線が生ずるように導線が張り巡らされ、前記起動部は、前記電力供給口又は前記蓄電池から電力の供給を受けて導線の断線を検出する断線検出体を有し、前記断線検出体が断線を検出した場合、前記起動部は、前記磁界発生回路に起動信号を送信することとした。この構成によれば、装置内部には筐体が開封された場合、断線が生ずるように導線が張り巡らされ、この導線の断線を断線検出体で検出して、磁界発生回路に起動信号が入力されるから、解析のため、悪意の者が磁気記憶装置の筐体を開封した時点で、磁気記憶媒体の記憶内容が消去される。従って、機密情報の漏洩を防ぐことができる。又、使用者がデータを自発的に消去したい場合、使用者は、磁気記憶装置の筐体を開けるだけで、データの消去を行うことができる。
【００１２】
又、請求項４に係る発明は、請求項３に記載の発明において、装置外部に掛け回される導線が装置に接続され、前記断線検出体が装置外部に掛け回される導線の断線を検出した場合、前記起動部は前記磁界発生回路に起動信号を送信することとした。この構成によれば、装置外部に掛け回される導線が装置に接続され、断線検出体が装置外部に掛け回される導線の断線を検出した場合、起動部は磁界発生回路に起動信号が入力されるから、悪意の者が磁気記憶装置を持ち去ろうとした時点で、磁気記憶媒体の記憶内容が消去される。従って、機密情報の漏洩を防ぐことができ、又、使用者は、磁気記憶装置に接続される導線を切るだけで、データの消去を行うことができる。
【００１３】
又、請求項５に係る発明は、請求項２乃至４記載の発明において、前記起動部は、前記電力供給口及び前記蓄電池と、前記磁界発生回路間に設けられる１又は複数の磁界発生回路起動用スイッチであって、一端が前記磁界発生回路起動用スイッチに接続され、他端が装置の筺体又は装置外部に接続され、前記磁界発生回路起動用スイッチを開状態で維持する１又は複数の第１の開状態維持部材を有し、前記筐体が開封された場合、及び／又は、装置が設置位置から移動された場合、前記磁界発生回路起動用スイッチは閉状態となり、前記磁界発生回路が駆動を開始することとした。
【００１４】
この構成によれば、磁界発生回路起動用スイッチと筐体や装置外部との機械的なリンクが外れたことを第１の開状態維持部材により検出して磁界発生回路を駆動させるから、機密情報の漏洩や迅速なデータ消去を行えるほか、主電源のＯＦＦ時の磁界発生回路起動前に蓄電池の電力消費をなくすことができる。
【００１５】
又、請求項６に係る発明は、請求項１記載の発明において、前記蓄電部はコンデンサであって、前記コンデンサと前記コイルを直列接続した閉回路を形成し、前記コンデンサは、装置の電力供給口から電力の供給を受けて充電し、前記起動部が前記データ消去部を起動させる場合、前記起動部は、前記コンデンサと前記コイルからなる閉回路を導通させることとした。この構成によれば、起動部は、コンデンサとコイルを直列接続した閉回路を導通させるので、コンデンサとコイル間でエネルギーが振動することにより、コイルによって交番磁界が発生し、磁気記憶媒体に交番磁界をかけることができる。これにより、磁気記憶媒体のデータの消去を行うことができる。
【００１６】
又、請求項７に係る発明は、請求項６記載の発明において、前記起動部は、前記電力供給口又は前記コンデンサと、前記コイル間に設けられた１又は複数の閉回路起動用スイッチであって、一端が前記閉回路起動用スイッチに接続され、他端が装置の筺体又は装置外部に接続され、前記閉回路起動用スイッチを開状態で維持する１又は複数の第２の開状態維持部材を有し、前記筐体が開封された場合、及び／又は、装置が設置位置から移動された場合、前記閉回路起動用スイッチは閉状態となり、前記閉回路が駆動を開始することとした。この構成によれば、閉回路起動用スイッチと筐体や外部との機械的なリンクが外れたことを第２の開状態維持部材により検出し閉回路を駆動させるから、機密情報の漏洩が防止され、迅速なデータ消去を行えるほか、主電源のＯＦＦ時の余計な電力消費がない。
【００１７】
又、請求項８に係る画像形成装置は、請求項１乃至７のいずれかの磁気記憶装置を装着することとした。この構成によれば、上述の磁気記憶装置を装着するので、機密情報の漏洩のない画像形成装置を提供することができる。又、使用者が容易に磁気記憶装置のデータを消去できる画像形成装置を提供することができる。
【００１８】
又、請求項９に係る画像形成装置は、請求項５記載の磁気記憶装置を備え、前記第１の開状態維持部材の他端は、前記画像形成装置の筐体又は内部に接続され、前記画像形成装置の筐体が開封された場合、又は、前記磁気記憶装置が設置位置から移動された場合、前記磁界発生回路起動用スイッチは閉状態となり、前記磁界発生回路が駆動を開始することとした。
【００１９】
又、請求項１０に係る画像形成装置は、請求項７記載の磁気記憶装置を備え、前記第２の開状態維持部材の他端は、前記画像形成装置の筐体又は内部に接続され、前記起動部は、前記画像形成装置の筐体が開封された、又は、前記磁気記憶装置が設置位置から移動された場合、前記閉回路起動用スイッチは閉状態となり、前記閉回路が駆動を開始することとした。
【００２０】
これら、請求項９又は１０の構成によれば、磁界発生回路起動用スイッチ又は閉回路起動用スイッチと画像形成装置の筐体やその内部との機械的なリンクが外れたことを第１又は第２の開状態維持部材により検出するから、磁気記憶装置の取り外しの際に画像形成装置のカバーや仕切り等の部材が外された時点で、磁界発生回路や閉回路の駆動を開始させることができる。
【００２１】
又、請求項１１に係る情報処理装置は、請求項１乃至７のいずれの磁気記憶装置を装着することとした。この構成によれば、上述の磁気記憶装置を装着するので、機密情報の漏洩のない情報処理装置を提供することができる。又、使用者が容易に磁気記憶装置のデータを消去できる情報処理装置を提供することができる。
【００２２】
又、請求項１２に係る情報処理装置は、請求項５記載の磁気記憶装置を備え、前記第１の開状態維持部材の他端は、前記情報処理装置の筐体又は内部に接続され、前記情報処理装置の筐体が開封された場合、又は、前記磁気記憶装置が設置位置から移動された場合、前記磁界発生回路起動用スイッチは閉状態となり、前記磁界発生回路が駆動を開始することとした。
【００２３】
又、請求項１３に係る情報処理装置は、請求項７記載の磁気記憶装置を備え、前記第２の開状態維持部材の他端は、前記情報処理装置の筐体又は内部に接続され、前記起動部は、前記情報処理装置の筐体が開封された、又は、前記磁気記憶装置が設置位置から移動された場合、閉回路が起動を開始することとした。
【００２４】
これら、請求項１２又は１３の構成によれば、磁界発生回路起動用スイッチ又は閉回路起動用スイッチと情報処理装置の筐体やその内部との機械的なリンクが外れたことを第１又は第２の開状態維持部材により検出するから、磁気記憶装置の取り外しの際に情報処理装置のカバー、仕切り、フレーム等の部材が外された時点で、磁界発生回路や閉回路の駆動を開始させることができる。
【発明の効果】
【００２５】
上述したように、本発明によれば、悪意の者が、磁気記憶装置を持ち去る時点や筐体を開封した時点で、磁気記憶装置に電力供給がなくても、磁気記憶媒体の記憶データは一括して消去される。又、使用者は、磁気記憶装置を取り外しや、筐体開封を行うだけで、迅速に磁気記憶媒体の記憶データが一括して消去できる。しかも、これらの効果を得るために付加する構成は複雑なものではない。従って、低コストでセキュリティ性が高く、使用者の利便性の高い磁気記憶装置、画像形成装置、情報処理装置を提供することができる。
【発明を実施するための最良の形態】
【００２６】
以下、本発明の第１の実施形態を図１〜５を参照しつつ説明する。但し、本実施の形態に記載されている構成、配置等の各要素は、発明の範囲を限定するものではなく単なる説明例にすぎない。
【００２７】
（画像形成装置の概略）
まず、図１を用いて、ＨＤＤ１（磁気記憶装置に相当）を備えた電子写真方式の複合機２（画像形成装置に相当）の概略を説明する。即ち、本説明では、磁気記憶装置の一例としてＨＤＤ１を挙げる。そして、図１は、本発明の第１の実施形態に係る複合機２の概略構成を示す正面から見た模型的断面図である。
【００２８】
図１に示すように、本実施形態に係る複合機２は、上方に、原稿搬送部３０と画像読取部３２が配される。そして、複合機２の内部では、下方から、シート供給部３３、シート搬送路３４、画像形成部４０、定着部４７等を備える。
【００２９】
まず、原稿搬送部３０は、原稿トレイ３１に載置された原稿を１枚ずつ読み取り位置に向け搬送する。そして、画像読取部３２内に、露光ランプ、ミラー、レンズ、イメージセンサ（例えば、ＣＣＤ）（いずれも不図示）が配され、原稿に光を照射し、その反射光から、画像読取部３２は原稿の画像データを生成する。シート供給部３３は、複合機２の最下部に設けられ、例えば、コピー用紙等の各種、各サイズ（Ａ４、Ｂ５等）のシートを収容する。そして、シート供給部３３は、画像形成（印刷）の際、給紙ローラ３３ａが回転することで、シートを１枚ずつシート搬送路３４に送り出し、シート供給部３３から画像形成部４０を経て、排出トレイ３５までシートを搬送する。そのため、シート搬送路３４には、駆動機構（不図示）により回転駆動する搬送ローラ対３６や、タイミングよくシートを画像形成部４０に送り出すレジストローラ対３７等が設けられる。
【００３０】
画像形成部４０は、図１において、複合機２内の中央左方の位置に配され、画像読取部３２が読み取った原稿等の画像データに基づき、形成すべき画像のトナー像を形成し、シートに転写を行う。そして、画像形成部４０は、感光体ドラム４１と、その周囲に帯電装置４２、露光装置４３、現像装置４４、転写ローラ４５、清掃装置４６等で構成される。トナー像の形成プロセスを説明すると、感光体ドラム４１は、所定の方向（図１では時計方向）に回転駆動し、帯電装置４２が感光体ドラム４１の周面を帯電させる。露光装置４３は、帯電後の感光体ドラム４１の周面に、形成すべき画像の画像データに基づき光（例えば、レーザ光）を照射し、周面を走査・露光し、感光体ドラム４１の周面に画像データに対応した静電潜像が形成される。現像装置４４は、トナーを帯電させ、そのトナーを静電潜像に供給し、静電潜像をトナー像として現像する。転写ローラ４５は、回転可能に支持され、感光体ドラム４１に圧接しニップを形成する。そして、このニップにシートとトナー像が進入し、転写ローラ４５にトナーの帯電極性と逆の極性の電圧が印加され、トナー像のシートへの転写がなされる。清掃装置４６は、図１において、感光体ドラム４１の上方に配され、感光体ドラム４１の周面上の残トナーや塵芥等を除去、回収する。
【００３１】
定着部４７は、本実施形態では、発熱体Ｈを内蔵する加熱ローラ４８とこれに圧接する加圧ローラ４９等を有する。このニップにシートが進入し、トナー像が加圧・加熱され、シートにトナー像が定着する。定着完了後のシートは、排出トレイ３５に排出される。
【００３２】
（複合機２のハードウェア構成）
次に、図２に基づき、本発明の第１の実施形態に係る複合機２のハードウェア構成の一例を説明する。図２は、本発明の第１の実施形態に係る複合機２のハードウェア構成の一例のブロック図である。
【００３３】
まず、図２に示すように、本実施形態の複合機２には、複合機２の動作全体を制御するための本体制御部５が設けられる。
【００３４】
本体制御部５には、中央演算処理装置として、ＣＰＵ５１が設けられ、ＲＡＭ５２（Random Access Memory）や、ＲＯＭ５３（Read Only Memory）や、フラッシュＲＯＭ５４を有する。このＲＯＭ５３やフラッシュＲＯＭ５４には、各種制御を行うために必要なプログラム、データが記憶される。ＲＡＭ５２は、制御用のプログラムやデータや、画像データ等を一時的に展開するためのメモリである。又、例えば、画像データ等の大きなサイズのデータを記憶しておけるように、本実施形態の複合機２には、大容量の磁気記憶装置としてのＨＤＤ１が搭載され、本体制御部５に接続される。
【００３５】
そして、本体制御部５には、原稿搬送部３０、画像読取部３２、シート供給部３３、シート搬送路３４、画像形成部４０、定着部４７等と接続するためのＩ／Ｆ回路５５が設けられ、本体制御部５は、このＩ／Ｆ回路５５に接続される各部の動作制御を行う。又、本体制御部５には、Ｉ／Ｆ回路５６及びモデム５７が接続され、このＩ／Ｆ回路５６を利用して、ネットワーク等により、外部のユーザ端末１００（ＰＣ）と複合機２が通信可能に接続される。又、モデム５７を公衆通信回線網と接続することで、複合機２は、相手方ＦＡＸ装置２００とデータ通信可能である。
【００３６】
例えば、本体制御部５は、原稿搬送部３０、画像読取部３２、画像形成部４０等を制御して、コピー機能を実現する。又、本体制御部５は、ユーザ端末１００から送信された画像データに基づき、画像形成部４０等を制御して、印刷を行って、プリンタ機能を実現する。又、本体制御部５は、画像読取部３２で読み取った画像データをＨＤＤ１やユーザ端末１００に送信し、スキャナ機能を実現する。又、本体制御部５は、例えば、ユーザ端末１００から送信された画像データを相手方ＦＡＸ装置２００（インターネットＦＡＸを含む）に送信し、又、相手方ＦＡＸ装置２００から送信された画像データの印刷やＨＤＤ１への記憶を行って、ＦＡＸ機能を実現する。
【００３７】
このように、本実施形態の複合機２は多機能であり、ＨＤＤ１が記憶するデータは、画像データのほか、複合機２に接続されるユーザ端末１００のネットワークアドレスや、相手方のＦＡＸ番号やＥメールアドレス等の個人情報が含まれる。そして、ＨＤＤ１に記憶される画像データには、例えば、顧客や社員の名簿、会計書類等の漏洩を防ぐべき、機密情報を含む場合がある。
【００３８】
尚、図２示すように、本実施形態の複合機２には、各部のモータ１３や制御基板等に電力供給を行う電源装置５８が設けられる。この電源装置５８は、例えば、商用電力に接続され、整流、降圧、昇圧等を行って、複合機２内の各部に電力供給を行う。そして、電源装置５８は、例えば、ＨＤＤ１にも電力供給を行う。
【００３９】
（磁気記憶装置の構成）
次に、図３及び図４に基き、本発明の第１の実施形態に係るＨＤＤ１を説明する。図３は、本発明の第１の実施形態に係るＨＤＤ１の一例を示す斜視図である。図４（ａ）は、本発明の第１の実施形態に係るＨＤＤ１の構成の一例を示すブロック図であり、（ｂ）は、磁気記憶媒体１２とコイル１６の一例を示す説明図である。
【００４０】
図３に示す本実施形態のＨＤＤ１は、例えば、複合機２背面や側面に設けられるＨＤＤ１の収容用のスロット６（図５参照）に納められる。そして、ＨＤＤ１は、内部の磁気記憶媒体１２を上下方向から挟み込む筐体１ａを有する。この筐体１ａは、その４隅と、長手方向の端縁の中点で、ネジ６１等で密封される。
【００４１】
そして収容したＨＤＤ１の脱落や、取り外せないようにするため、ＨＤＤ１の一端に、板状部材６２が設けられる。この板状部材６２には、つまみ６３が設けられ、ＨＤＤ１を複合機２に取り付ける際、例えば、つまみ６３を持って、スロット６の奥方向へＨＤＤ１を押し込む。一方、ＨＤＤ１を取り外す際、つまみ６３を持って引き出す。そして、スロット６にＨＤＤ１が収容されると、板状部材６２の下方隅の穴部６２ａにネジ等の係合部材６４をはめ込む。そして、係合部材６４の位置にあわせて複合機２側に設けられたネジ穴等の係合用穴に係合部材６４がはめ込まれる。このように、ＨＤＤ１は固着される。
【００４２】
そして、図４に示すように、本実施形態のＨＤＤ１は、制御部１０、磁気ヘッド１１、磁気記憶媒体１２、モータ１３、コネクタ１４、電力供給口１５、コイル１６、磁界発生回路１７、蓄電池１８、起動部１９等を有する。
【００４３】
ＨＤＤ１内の磁気ヘッド１１は、磁性体の磁化等によりデータを書き込む記録用ヘッドと、磁化の状態を読み取ってデータを読み出す再生ヘッドからなる。又、磁気記憶媒体１２は、例えば、磁性体が塗布されたアルミニウムやガラス等の円盤（ディスク）であって、モータ１３（例えば、サーボモータ）によって回転される。制御部１０は、ＨＤＤ１の制御を行うコントローラであって、モータ１３の回転や磁気ヘッド１１の動作を制御する。そして、制御部１０は、コネクタ１４を介して接続される本体制御部５の指示に基き、磁気記憶媒体１２に記憶されるデータを読み出し、本体制御部５に送信し、又、本体制御部５から送信されるデータを磁気記憶媒体１２に書き込む。電力供給口１５は、ＨＤＤ１を駆動させるための電力の供給を外部から受け、電源装置５８から供給される電力のＨＤＤ１への受け入れ口である。この電力供給口１５から制御部１０、磁気ヘッド１１、モータ１３の駆動のための電力が供給される。
【００４４】
そして、図４（ｂ）に示すように、コイル１６は、例えば、円盤状の磁気記憶媒体１２の周囲を取り囲むように設けられ（便宜上、図４（ｂ）には、１周分のみ図示）、コイル１６に電流が流れた際に、２点鎖線で示すように磁気記憶媒体１２の全体に磁界がかかる。これにより、磁気記憶媒体１２の記憶内容（データ）を消去することができる。磁界発生回路１７は、インバータやトランジスタ等を用いたスイッチング回路等、コイル１６に対し、正弦波や矩形波等の電流（電圧）を印加して、コイル１６に、交番磁界を発生させる。即ち、電力供給口１５又は蓄電池１８から電力供給を受け、磁気記憶媒体１２の全面に対し磁界をかけるためのコイル１６と、コイル１６に電流を流して磁界を発生させる磁界発生回路１７で磁気記憶媒体１２の記憶するデータの消去を行うデータ消去部を構成する。
【００４５】
尚、磁界発生回路１７は、コイル１６に、磁界を発生させることができれば、特に制限はない。又、例えば、磁界発生回路１７は、発生磁界強度を高めるため、複数のコンデンサ等を備え、昇圧が行われてもよい。そして、蓄電池１８は、電力供給口１５からの電力を受けて充電する。即ち、蓄電池１８が、電力供給口１５から電力供給をうけて充電し、外部からの電力供給がない場合、磁界発生回路１７等を駆動させる電力を供給する。詳細は後述するが、起動部１９は、磁界発生回路１７の駆動開始を指示するための起動信号（トリガ信号）を発信する。
【００４６】
そして、電力供給口１５から電力が供給されている場合（複合機２の主電源がＯＮ状態である場合）、磁界発生回路１７や起動部１９を駆動させるための電力は、電力供給口１５から供給される電力を用いる。一方、電力供給口１５から電力供給がない場合（複合機２の主電源がＯＦＦ状態である場合）、磁界発生回路１７や起動部１９を駆動させるための電力は、蓄電池１８から供給される。
【００４７】
次に、図５に基き、本発明の第１の実施形態に係る起動部１９の構成の一例を説明する。図５（ａ）は、本発明の実施形態に係るＨＤＤ１の筺体内の導線７の配線の一例を示す説明図である。（ｂ）は、断線検出方法の一例を示すブロック図である。（ｃ）は、導線７をＨＤＤ１の外部に掛け回す場合のスロット６を横方向から見た一例を示す断面図である。
【００４８】
本発明は、ＨＤＤ１内の機密情報を取得しようとする悪意の者によるＨＤＤ１の持ち去りや筺体開封があった場合、複合機２の主電源のＯＮ状態、ＯＦＦ状態を問わず、起動部１９から起動信号を発し、磁界発生回路１７を駆動させ、ＨＤＤ１の記憶内容の消去を行う。又、複合機２の使用者が、ＨＤＤ１の記憶内容を一括して消去したい場合にも、起動部１９から起動信号を出させ、磁界発生回路１７を駆動させることもできる発明である。
【００４９】
まず、図５（ａ）は、ＨＤＤ１の筺体を開封して、磁気記憶媒体１２（ディスク）を解析して不正に機密情報を取得しようとする場合に対する対策を示している。一般に、ＨＤＤ１は粉塵を嫌うので、ＨＤＤ１の筺体を開封すれば、通常、磁気記憶媒体１２の解析は難しくなる。しかし、例えば、クリーンルーム内でＨＤＤ１の筺体の開封を行った場合、磁気記憶媒体１２の磁化の状態を直接解析することができる場合がある。
【００５０】
そこで、本実施形態のＨＤＤ１の筐体１ａ内には、筺体が開封された場合、導線７の断線が生ずるように、導線７を張り巡らせることができる。例えば、筺体内に、導線７を掛け回すための爪７１を設け、その爪７１に、導線７を掛け回す。尚、図５（ａ）は、ＨＤＤ１内の筺体１ａの一側面を内部から見た図であり、側面全周に渡って、導線７を張り巡らせることができる。そして、図５（ａ）の左側は、未開封状態を示し、図５（ａ）の右側は、開封により、導線７に断線が生じたことを示す図である。
【００５１】
そして、本実施形態では、筐体１ａの開封により、導線７に断線が生じたことを検出し、この検出結果に基き、起動部１９が磁界発生回路１７に起動信号を送信する。その断線検出方法の一例を図５（ｂ）に示す。例えば、起動部１９に、ＩＣ等で構成される断線検出センサ１９ａを設ける。この起動部１９としての断線検出センサ１９ａ（断線検出体に相当）は、前記電力供給口１５又は前記蓄電池１８から電力の供給を受けて導線７の断線を検出する。そして、断線検出センサ１９ａのうちの１つのポートＰａには、掛け回す導線７の一端を接続する。そして、もう一つのポートＰｂに、導線７の他端を接続する。もし、断線が生じていなければ、例えば、一方のポートＰａをＨｉｇｈ状態とすれば他方のポートＰｂもＨｉｇｈ状態を検出する。しかし、断線が生じた場合、一方のポートＰａをＨｉｇｈ状態とすれば他方のポートＰｂはＬｏｗ状態は検出する。これにより、断線の有無を検出することができる。このように、断線の有無だけを検出できればよいから、回路は複雑とはならない。尚、断線検出方法はこれに限られず、他の方法を用いてもよい。
【００５２】
即ち、起動部１９としての断線検出センサ１９ａは、ＨＤＤ１の筐体１ａが開封されたことを導線７の断線検出により検出して、磁界発生回路１７を起動させる起動部１９として機能する。磁界発生回路１７は、断線検出センサ１９ａからの起動信号の入力を受けて、磁界を発生させる。
【００５３】
そして、図５（ｃ）は、ＨＤＤ１の筐体１ａ内に導線７を掛け回すのではなく、ＨＤＤ１の筐体１ａ外に導線７を掛け回す場合を示している。即ち、ＨＤＤ外部に掛け回される導線７がＨＤＤ１に接続される。上述したように、複合機２の背面等に設けられるスロット６内にＨＤＤ１が収用・設置される。その収用位置において、例えば、スロット６の内壁（図５（ｃ）では、スロット６の奥壁部分）や複合機の筐体２ａに穴２ｈ、６ｈを２つ貫通させ、その穴に、導線７を掛け回す。そして、例えば、悪意の者がＨＤＤ１を持ち去る場合や、ＨＤＤ１を引っ張り出すと、導線７が切れる。この断線も同様に、例えば、図５（ｂ）に示す断線検出センサ１９ａで検出することができる。断線検出センサ１９ａにより導線７の断線が検出され、起動信号が発せられれば、磁界発生回路１７が駆動して、磁気記憶媒体１２の記憶内容（データ）が消去される。即ち、断線検出センサ１９ａは、ＨＤＤ１が設置場所から移動されたことを、ＨＤＤ１外部に掛け回される導線７の断線検出により検出して、磁界発生回路１７に起動信号を送信し、磁界発生回路１７を起動させる起動部１９として機能する。磁界発生回路１７は、この起動信号の入力を受けて、磁界を発生させる。
【００５４】
このようにして、本実施形態の構成によれば、ＨＤＤの筐体１ａの開封や設置場所から移動されたことを検出し、データ消去部を起動させる起動部１９を備えるので、データ解析のための磁気記憶装置（例えば、ＨＤＤ１）の開封や、設置場所から磁気記憶装置の持ち出しにより磁気記憶装置が移動された場合、直ちに磁気記憶装置の記憶するデータが消去されるので、機密情報の漏洩を防ぐことができる。又、磁気記憶媒体１２の全面に磁界をかけるので、データ消去に時間をかからない。又、使用者が自発的に磁気記憶装置の記憶内容を消去したい場合、ＨＤＤの筐体１ａや複合機２の筐体２ａを開けるか、設置場所から取り外せばよく、迅速、容易に、データ消去処理を実行することができる。
【００５５】
又、蓄電部は蓄電池１８であり、蓄電池１８から電力供給を受ける磁界発生回路１７が、データを消去するための磁界を発生させるので、磁気記憶装置に外部から電力が供給されていなくても、データの消去を行うことができる。又、装置内部には筐体１ａが開封された場合、断線が生ずるように導線７が張り巡らされ、この導線７の断線を断線検出体（断線検出センサ）で検出して、磁界発生回路１７に起動信号が入力されるから、解析のため、悪意の者が磁気記憶装置の筐体１ａを開封した時点で、磁気記憶媒体１２の記憶内容が消去される。従って、機密情報の漏洩を防ぐことができる。又、使用者がデータを自発的に消去したい場合、使用者は、磁気記憶装置の筐体１ａを開けるだけで、データの消去を行うことができる。又、装置外部に掛け回される導線７が磁気記憶装置に接続され、断線検出体（断線検出センサ１９ａ）が装置外部に掛け回される導線７の断線を検出した場合、起動部１９は磁界発生回路１７に起動信号が入力されるから、悪意の者が磁気記憶装置を持ち去ろうとした時点で、磁気記憶媒体１２の記憶内容が消去される。従って、機密情報の漏洩を防ぐことができ、又、使用者は、磁気記憶装置に接続される導線７を切るだけで、データの消去を行うことができる。
【００５６】
次に、図６に基づき、第２の実施形態について説明する。図６は、第２の実施形態に係る磁気記憶装置の一例を示す説明図である。尚、第２の実施形態の説明及び図６において、第１の実施形態と機能、動作等が共通する部分、部材は、第１の実施形態における場合と同一の符号を付し、又、必要な場合を除き、説明、図示を省略する。
【００５７】
そして、第１の実施形態と同様に、蓄電池１８又は電力供給口１５から磁界発生回路１７に電力が供給され、磁界発生回路１７は、コイル１６により磁界を発生させるが、この磁界発生回路１７への電力入力前に、並列に２つのスイッチ１９ｂ（磁界発生回路起動用スイッチに相当）が設けられる点で異なる。尚、スイッチ１９ｂは、何ら力が加わらなければ、基本的に閉状態を維持する。尚、本実施形態では、この２つのスイッチ１９ｂが、起動部１９となる。即ち、起動部１９は、１又は複数の磁界発生回路起動用スイッチであって、電力供給口１５及び蓄電池１８と、磁界発生回路１７間に設けられる。
【００５８】
この２つのスイッチ１９ｂには、それぞれ、開状態を維持するための開状態維持部材８（第１の開状態維持部材に相当）が接続される。この開状態維持部材８は、例えば、樹脂等で形成される細い線材であり、一端が、スイッチ１９ｂに接続される。そして、上方のスイッチ１９ｂでは、開状態維持部材８の他端が、複合機２のスロット６の内壁や筐体２ａや内部のいずれかの部材に接続される。又、下方のスイッチ１９ｂでは、開状態維持部材８の他端がＨＤＤ１の筺体１ａに接続される。即ち、開状態維持部材８は、１又は複数設けられ、一端が磁界発生回路起動用のスイッチ１９ｂに接続され、他端がＨＤＤの筺体１ａ又はＨＤＤ外部に接続され、磁界発生回路起動用のスイッチ１９ｂを開状態で維持する。
【００５９】
このように接続される開状態維持部材８は、ＨＤＤ１の筺体１ａが開封される場合、又は、ＨＤＤ１を複合機２から取り外して持ち去ろうとする場合、線材が切れることや、スイッチ１９ｂから開状態維持部材８が離れてしまうことにより、スイッチ１９ｂは、開状態を維持できなくなり、閉状態（ＯＮ状態）となる。尚、図６の下方は、開状態維持部材８が外れて、上方のスイッチ１９ｂが閉状態となったことを示している。そして、いずれかのスイッチ１９ｂが閉状態となると、蓄電池１８又は電力供給口１５から磁界発生回路１７に電力が供給され、磁気記憶媒体１２のデータが消去されることになる。即ち、筐体１ａが開封された場合、磁界発生回路起動用のスイッチ１９ｂは閉状態となり、磁界発生回路１７が駆動を開始する。又、開状態維持部材８の他端は、複合機２の筐体２ａ又は内部に接続されるので、複合機２の筐体２ａが開封された場合、又は、磁気記憶装置が複合機２から移動された場合、磁界発生回路起動用スイッチは閉状態となり、磁界発生回路１７が駆動を開始する。
【００６０】
このようにして、本実施形態の構成によれば、磁界発生回路起動用のスイッチ１９ｂと筐体１ａや装置外部との機械的なリンクが外れたことをスイッチ１９ｂにより検出して磁界発生回路１７を駆動させるから、機密情報の漏洩や迅速なデータ消去を行えるほか、主電源のＯＦＦ時の磁界発生回路１７起動前に蓄電池１８の電力消費をなくすことができる。又、スイッチ１９ｂと画像形成装置（例えば、複合機２）の筐体２ａやその内部との機械的なリンクが外れたことを開状態維持部材８により検出できるから、例えば、磁気記憶装置の取り外しの際に画像形成装置のカバーや仕切り等の部材が外された時点でも、磁界発生回路１７の駆動を開始させることができる。
【００６１】
次に、図７に基づき、第３の実施形態について説明する。図７は、第３の実施形態に係るＨＤＤ１の構成の一例を示すブロック図である。尚、第３の実施形態の説明及び図７において、第１及び第２の実施形態と機能、動作等が共通する部分、部材は、第１の実施形態における場合と同一の符号を付し、又、説明を省略する。
【００６２】
そして、本実施形態のＨＤＤ１は、制御部１０、磁気ヘッド１１、磁気記憶媒体１２、モータ１３、コネクタ１４、電力供給口１５、コイル１６、コンデンサＣ、２つのスイッチ１９ｃ等を有する。ここで、第１及び第２の実施形態とは、蓄電池１８、磁界発生回路１７がなく、代わりに蓄電部としてコンデンサＣを備え、コンデンサＣとデータ消去部としてのコイル１６を直列接続した閉回路ＣＬを形成し、起動部１９がスイッチ１９ｃである点で異なる。そこで、相違点を説明する。
【００６３】
まず、本実施形態におけるコンデンサＣは、電力供給口１５からの電力供給を受け充電し、電荷（エネルギー）を蓄える。即ち、コンデンサＣは、電力供給口１５から電力供給をうけて充電し、外部からの電力供給がない場合、データ消去部としてのコイル１６に電流を流すための電力を供給する蓄電部として機能する。そして、コンデンサＣは、スイッチ１９ｃが閉状態となると、コイル１６とコンデンサＣからなる閉回路ＣＬを構成する（振動回路、発振回路）。
【００６４】
又、図７に示すように、この閉回路ＣＬには、スイッチ１９ｃ（閉回路起動用スイッチに相当）が２つ、並列に設けられ、一方のスイッチ１９ｃが閉回路ＣＬに直列に接続されている。尚、スイッチ１９ｃは、何ら力が加わらなければ閉状態を維持する。即ち、本実施形態では、これらのスイッチ１９ｃが、電力供給口１５又はコンデンサＣと、コイル１６間に設けられた１又は複数の閉回路起動用スイッチである起動部１９として機能し、閉回路ＣＬの駆動開始時に、起動部１９としてのスイッチ１９ｃは、コンデンサＣとコイル１６からなる閉回路ＣＬを導通させる。
【００６５】
そして、上記の第２の実施形態と同様に、スイッチ１９ｃには、一端がスイッチ１９ｃに接続され、他端がＨＤＤ１の筺体１ａ又は装置外部に接続され、スイッチ１９ｃを開状態で維持する１又は複数の開状態維持部材９（第２の開状態維持部材に相当）が接続される。２つのスイッチ１９ｃのうち、一方のスイッチ１９ｃは開状態維持部材９の他端がＨＤＤ１の筺体１ａに接続され、他方のスイッチ１９ｃの開状態維持部材９の他端が、複合機２のスロット６の内壁や複合機２の筐体２ａや内部のいずれかの部材に接続される。これにより、ＨＤＤ１の筺体開封や、複合機２の筐体２ａを開けた場合や、設置・収用位置からの持ち去りがあった場合、開状態維持部材９の切断や各スイッチ１９ｃとの接続が外れる等により、スイッチ１９ｃは、開状態を維持できず、閉状態となる。即ち、筐体１ａが開封された場合、及び／又は、装置が設置位置から移動された場合、スイッチ１９ｃは閉状態となり、閉回路ＣＬが駆動を開始する。尚、開状態維持部材９は、第２の実施形態同様、例えば、樹脂等の線材を用い得る。
【００６６】
そして、主電源ＯＦＦ状態で、スイッチ１９ｃが投入され、閉回路ＣＬが導通状態となると、コンデンサＣに蓄積されていたエネルギーがコイル１６に向けて放出される。そして、コイル１６はエネルギーを一時的に蓄えた後、コンデンサＣにエネルギーを放出する。そして、コンデンサＣは、再度エネルギーを蓄える。このエネルギーのやり取りにより、コイル１６にかかる電圧の変動が生じ、抵抗成分により減衰しつつも、コイル１６から交番磁界が発生する。これにより、磁気記憶媒体１２のデータが消去される。即ち、本実施形態では、記磁気記憶媒体１２の全面に対し磁界をかけるコイル１６のみで磁気記憶媒体１２の記憶するデータの消去を行うデータ消去部を構成する。
【００６７】
尚、図７では、コンデンサＣは１つしか設けていないが、蓄えるエネルギーを増やし、より大きな電流を流して、大きな磁界を発生させるならば、コンデンサＣを並列に複数接続し、蓄える電荷量を増やすことで対応することができる。
【００６８】
このようにして、本実施形態の構成によれば、起動部１９は、コンデンサＣとコイル１６を直列接続した閉回路ＣＬを導通させるので、コンデンサＣとコイル１６間でエネルギーが振動することにより、コイル１６によって交番磁界が発生し、磁気記憶媒体１２に交番磁界をかけることができる。これにより、磁気記憶媒体１２のデータの消去を行うことができる。又、閉回路起動用のスイッチ１９ｃと筐体１ａや、複合機２の筐体２ａや、装置外部との機械的なリンクが外れたことを開状態維持部材９により検出して閉回路ＣＬを駆動させるから、機密情報の漏洩や迅速なデータ消去を行えるほか、主電源のＯＦＦ時、余計な電力消費がない。又、閉回路起動用のスイッチ１９ｃと複合機２の筐体２ａやその内部との機械的なリンクが外れたことも開状態維持部材９により検出するから、磁気記憶装置の取り外しの際に複合機２のカバーや仕切り等の部材が外された時点で、閉回路ＣＬを導通始させることができる。
【００６９】
次に、図８に基づき、第４の実施形態について説明する。図８は、第４の実施形態に係る開状態維持部材の構成の一例を示す説明図である。尚、第４の実施形態の説明及び図８において、他の実施形態と機能、動作等が共通する部分、部材は、他の実施形態における場合と同一の符号を付し、又、説明を省略する。
【００７０】
上記の、第２の実施形態では、起動部１９にスイッチ１９ｂを用い、開状態維持部材８でＨＤＤ１の開封や移動を検出し、第３の実施形態では、スイッチ１９ｃを用い、開状態維持部材９でＨＤＤ１の開封や移動を検出したが、本実施形態は他方式のスイッチ、開状態維持部材を用いる点で異なり、発明の趣旨、用途、機能等基本的な部分は同一である。
【００７１】
本実施形態では、例えば、絶縁性の先端にピン９２を有し、ピン９２に線材が接続された開状態維持部材９１を用いる。この開状態維持部材９１は、先端のピン９２が、起動部１９としてのスイッチ１９ｄに差し込まれ、スイッチ１９ｄは開状態とされる。そして、開状態維持部材９１の他端は、ＨＤＤ１の筺体１ａや、複合機２の筐体２ａや、ＨＤＤ１のスロット６の内壁や他の複合機２内の部材に接続される。尚、スイッチ１９ｄは、基本的に閉状態であり、ピン９２が差し込まれることによって、開状態を維持する。
【００７２】
そして、筺体開封やＨＤＤ１の持ち去り時等、開状態維持部材９１のピン９２がスイッチ１９ｄから抜ける。ここで、開状態維持部材９１の線材は、張力がかかった場合、ピン９２がスイッチ１９ｄから抜けるように、引っ張っても容易に切れない素材（例えば、金属線、ピアノ線等）とする。そうすると、図８の下方に示すように、スイッチ１９ｄが投入状態となる。これにより、スイッチ１９ｄが起動部１９として機能し、磁気記憶媒体１２のデータ消去させるため、コイル１６に電流が流れる。
【００７３】
次に、図９に基づき、第５の実施形態について説明する。図９は、第５の実施形態に係る情報処理装置３００の一例を示す斜視図である。
【００７４】
上記では、画像形成装置としての複合機２にＨＤＤ１が装備された場合について説明したが、例えば、パーソナルコンピュータ等の情報処理装置３００に搭載されるＨＤＤ１にも同様に本発明を適用することができる。
【００７５】
例えば、情報処理装置３００は、本体３０１と、ディスプレイ３０２と、キーボード３０３やマウス３０４等で構成される。そして、上記の第１〜第４に示したいずれかのＨＤＤ１は、情報処理装置３００の本体３０１の筐体３０１ａに内蔵される。一般に、情報処理装置３００において、使用者がソフトウェアを用いて作成した文書や帳票やデータベース等のデータは、大容量の記憶装置としてのＨＤＤ１に保存される。そのＨＤＤ１に記憶されるデータには、例えば、顧客台帳や収支一覧表や住所録や計画書など、機密情報として扱うべきデータが含まれる。従って、ＨＤＤ１は、解析や持ち去りの対象となる。
【００７６】
そこで、上記の第１〜第４の実施形態で示したＨＤＤ１を情報処理装置３００に用いれば、機密情報の漏洩のない情報処理装置３００を提供することができる。又、使用者が容易に磁気記憶装置のデータを消去できる情報処理装置３００を提供することができる。又断線検出センサ１９ａ、スイッチ１９ｂ又はスイッチ１９ｃ等と情報処理装置３００の筐体３０１ａやその内部の部材機械的なリンクが外れたことを開状態維持部材８、９により検出するから、磁気記憶装置の取り外しの際に情報処理装置３００のカバー、仕切り、フレーム等の部材が外された時点で、磁界発生回路１７や閉回路ＣＬの駆動を開始させることもできる。又、情報処理装置３００の廃棄、処分時、使用者はＨＤＤ１を意図的に情報処理装置３００から取り出せば、短時間でＨＤＤ１の記憶内容を消去することができる。
【００７７】
以上、本発明の実施形態を説明したが、本発明の範囲はこれに限定されるものではなく、発明の主旨を逸脱しない範囲で種々の変更を加えて実施することができる。
【産業上の利用可能性】
【００７８】
本発明は、画像形成装置等に利用可能である。
【図面の簡単な説明】
【００７９】
【図１】第１の実施形態に係る複合機の概略構成を示す模型的断面図である。
【図２】第１の実施形態に係る複合機のハードウェア構成の一例のブロック図である。
【図３】第１の実施形態に係るＨＤＤの一例を示す斜視図である。
【図４】（ａ）は、第１の実施形態に係るＨＤＤの構成の一例を示すブロック図であり、（ｂ）は、磁気記憶媒体とコイルの一例を示す説明図である。
【図５】（ａ）は、第１の実施形態に係るＨＤＤ１の筺体内の導線の配線の一例を示す説明図である。（ｂ）は、断線検出方法の一例を示すブロック図である。（ｃ）は、導線をＨＤ１の外部に掛け回す場合のスロットを横方向から見た一例を示す断面図である。
【図６】第２の実施形態に係る磁気記憶装置の一例を示す説明図である。
【図７】第３の実施形態に係るＨＤＤの構成の一例を示すブロック図である。
【図８】第４の実施形態に係る開状態維持部材の構成の一例を示す説明図である。
【図９】第５の実施形態に係る情報処理装置の一例を示す斜視図である。
【符号の説明】
【００８０】
１      ＨＤＤ（磁気記憶装置）        １ａ    筐体（ＨＤＤ１の一部）
１２    磁気記憶媒体                  １５    電力供給口
１６    コイル                        １７    磁界発生回路（データ消去部）
１８    蓄電池（蓄電部）              １９    起動部
１９ａ  断線検出センサ（断線検出体）
１９ｂ  スイッチ（磁界発生回路起動用スイッチ）
１９ｃ  スイッチ（閉回路起動用スイッチ）
１９ｄ  スイッチ（磁界発生回路起動用スイッチ、閉回路起動用スイッチ）
２      複合機（画像形成装置）        ２ａ    筐体（複合機２の一部）
７      導線
８      開状態維持部材（第１の開状態維持部材）
９      開状態維持部材（第２の開状態維持部材）
３００  情報処理装置                  ３０１ａ  筐体（情報処理装置３００の一部）
Ｃ      コンデンサ                    ＣＬ    閉回路
【図１】
2010049753.tif 000003
【図２】
2010049753.tif 000004
【図３】
2010049753.tif 000005
【図４】
2010049753.tif 000006
【図５】
2010049753.tif 000007
【図６】
2010049753.tif 000008
【図７】
2010049753.tif 000009
【図８】
2010049753.tif 000010
【図９】
2010049753.tif 000011